(57)【特許請求の範囲】
【請求項１】
ロールを挿通した状態で、支持具に対して回転可能に装着するロールホルダーであって、
両端に開放口が形成されたホルダー本体と、
前記ホルダー本体の前記開放口に対し、着脱可能に配置される一対の支持部と、
を有し、
前記ホルダー本体に対する前記支持部の取付方向を変更可能としたことを特徴とするロールホルダー。
【請求項２】
前記ホルダー本体は、筒状に成形されると共に、筒内に形成された側壁で区画され、
前記側壁は、芳香剤を収納する収納室を区画することを特徴とする請求項１に記載のロールホルダー。
【請求項３】
前記ホルダー本体は、芳香剤を収納する収納部と、前記収納部に対応して形成される複数の通気孔とを備えることを特徴とする請求項１に記載のロールホルダー。
【請求項４】
前記支持部には、前記支持具に形成される係止孔に挿入するピンと，前記ピンを前記ホルダー本体の軸心方向に沿って移動させる移動手段とが一体形成されることを特徴とする請求項１〜３のいずれか１項に記載のロールホルダー。
【発明の詳細な説明】
【０００１】
【発明の属する技術分野】
本発明は、例えばトイレットロールを挿通した状態で、支持具に対して回転可能に装着するロールホルダーに関する。
【０００２】
【従来の技術】
トイレに配置されるトイレットロール用の支持具としては、長尺状のトイレットペーパを巻いてロール状に成形したトイレットロールを、直接にまたはロールホルダーを介して支持し得る構成となっている。即ち、上記支持具のタイプとしては、上記ロールホルダーを支持具に装着するいわゆるロールホルダータイプと，上記ロールホルダーを用いることなくトイレットロールを直接に装着するいわゆるワンタッチホルダータイプなどがある。ここで、ワンタッチホルダータイプは、支持具の側壁に対し略９０度の角範囲に亘って回転可能に配置されたアームに、トイレットロールを嵌め込むものである。
【０００３】
また、ロールホルダータイプの中には、図１２に示すように、ロールホルダー６０内に例えば粒状の芳香剤（図示省略）を収納できるように構成したものである（特開昭５７−３６１４号公報参照）。即ち、図１２に示すロールホルダー６０には、ホルダー本体６２と，ホルダー本体６２の一方に対して着脱可能なキャップ６４とを有する。
【０００４】
なお、ホルダー本体６２およびキャップ６４の外周面には、通気用の長孔６１が複数形成されている。また、ホルダー本体６２およびキャップ６４の直径は同一となっており、キャップ６４をホルダー本体６２に取付けた状態のロールホルダー６０は中空状の円筒体である。
【０００５】
ホルダー本体６２の他方側面には支持突起６３が一体形成されており、キャップ６４の側面には可動支持部材６５が配置されている。キャップ６４に対する可動支持部材６５の取付構造は、キャップ６４に一体形成された略円筒状の内壁部６４Ａ，内壁部６４Ａ内に配置されるコイルスプリング６６，コイルスプリング６６を支持する中栓６７を備える構造である。
【０００６】
そして、可動支持部材６５は、コイルスプリング６６によって常に外方側へ付勢される。なお、ロールホルダー６０の軸方向の長さは、支持突起６３および可動支持部材６５の先端が、図１２の想像線に示す支持具５０の一対の側板５１にそれぞれ形成された係止孔５１Ａ内に挿入できるように設定されている。
【０００７】
図示しない芳香剤をロールホルダー６０内に挿入する手順としては、まずキャップ６４をホルダー本体６２から取外し、ホルダー本体６２の中空内に芳香剤を投入する。次に、キャップ６４をホルダー本体６２に取付けることにより、キャップ６４とホルダー本体６２とは一体的に連結される。
【０００８】
また、ロールホルダー６０を図１２の想像線に示す支持具５０に装着するには、ロールホルダー６０の支持突起６３および可動支持部材６５を、図１２の想像線に示す側板５１の係止孔５１Ａにそれぞれ挿入する。なお、ロールホルダー６０を支持具５０に装着する前には、図示しないトイレットロールをロールホルダー６０に挿通する。
【０００９】
【発明が解決しようとする課題】
ところで、従来のロールホルダーではワンタッチホルダータイプの支持具に対応する構成となっておらず、ワンタッチホルダータイプの支持具には使用できなかった。なぜなら、ワンタッチホルダータイプの支持具は、ロールホルダーを使用することなく、直接にトイレットロールを支持具に装着すれば良い構成となっているからである。
【００１０】
しかし、図１２に示すようなロールホルダー６０のタイプは、単にトイレットロールを支持具に対して支持するのみではなく、ロールホルダー６０内に芳香剤を収納する芳香器としても使用するものである。即ち、別体の芳香器を不要とするロールホルダーのタイプでは、ロールホルダーをワンタッチホルダータイプの支持具に装着できないのは不便である。
【００１１】
また、図１２に示すロールホルダー６０では、支持具５０に対する支持構造として、可動支持部材６５，コイルスプリング６６，および中栓６７が設けられている。即ち、ロールホルダー６０の支持具５０に対する支持構造としては、上述したように、複数個（３個）の部品が必要となるので、構造が複雑となり、かつ高価となっていた。
【００１２】
なお、トイレットロールをワンタッチホルダータイプの支持具に装着する場合、トイレットロールの心材の端部などが上記支持具のアームに引っ掛かる状態のみであり、そのためトイレットロールがアームに対して円滑に回転しない可能性がある。
【００１３】
そこで、本発明は、上記事情を考慮し、異なる支持タイプの支持具に対応し得るロールホルダーを提供することを目的とする。また、本発明は、上記事情を考慮し、ロールホルダーの支持構造を簡易かつ安価にし得るロールホルダーを提供することをも目的とする。
【００１４】
【課題を解決するための手段】
本発明の請求項１に係るロールホルダーは、ロールを挿通した状態で、支持具に対して回転可能に装着するロールホルダーであって、両端に開放口が形成されたホルダー本体と、前記ホルダー本体の前記開放口に対し、着脱可能に配置される一対の支持部と、を有し、前記ホルダー本体に対する前記支持部の取付方向を変更可能としたことを特徴とする。
【００１５】
本発明の請求項１に係るロールホルダーにおいては、ホルダー本体に対する支持部の取付方向を変更させることにより、支持モードを任意に選択する。例えば、ロールホルダーをいわゆるロールホルダータイプの支持具に取付ける場合には、ホルダー本体に一対の支持部を取付ける。そして、一対の支持部をロールホルダータイプの側壁に形成された係止孔に挿入させ、ロールホルダーを支持具に装着させる。
【００１６】
一方、ロールホルダーをいわゆるワンタッチホルダータイプの支持具に取付ける場合には、例えば、支持部の取付方向を変更し、ホルダー本体の両端部に、ワンタッチホルダータイプのアームを挿入させる。従って、本発明によれば、ロールホルダーをモード変更可能な構成としたので、異なる支持タイプであるロールホルダータイプの支持具およびワンタッチホルダータイプの支持具に対応し得る。
本発明の請求項２に係るロールホルダーは、前記ホルダー本体は、筒状に成形されると共に、筒内に形成された側壁で区画され、側壁は、芳香剤を収納する収納室を区画することを特徴とする。
【００１７】
請求項３に係る発明においては、前記ホルダー本体は、芳香剤を収納する収納部と，前記収納部に対応して形成される複数の通気孔とを備えることを特徴とする。即ち、本発明の請求項３に係る発明によれば、芳香剤を収納部内に収納することにより、芳香剤の芳香が通気孔から流出するので、別体の芳香器が不要となる。特に、本発明の請求項３に係る発明によれば、ワンタッチホルダータイプに対応するモードに変更したロールホルダーを、ワンタッチホルダータイプの支持具に装着させた場合には、ロールホルダーが芳香器としても機能する。
【００１８】
請求項４に係る発明においては、前記支持部には、前記支持具に形成される係止孔に挿入するピンと，前記ピンを前記ホルダー本体の軸心方向に沿って移動させる移動手段とが一体形成されることを特徴とする。即ち、本発明の請求項４に係る発明においては、一体形成されたピンが移動手段を介しホルダー本体の軸方向に沿って移動するので、従来例の支持構造に比べ、支持構成が簡易になると共に、安価となる。
【００１９】
【発明の実施の形態】
以下、図１乃至図１１に基づいて、本発明の一実施形態であるロールホルダーについて説明する。なお、図１は本実施形態のロールホルダーの分解斜視図、図２は図１に示すホルダー本体に一対の支持部を取付けた状態の斜視図、図５は図２に示すロールホルダーをロールホルダータイプの支持具に装着前の斜視図、図６は図３に示すロールホルダーの収納室内に芳香剤を収納した状態の断面図である。
【００２０】
図１に示すように、ロールホルダー１０は、略透明な合成樹脂でかつ略円筒状に成形されたホルダー本体１２と，ホルダー本体１２の軸方向の両端部１２Ａおよび１２Ｂに対して着脱可能に構成された一対の支持部２０および３０を備える。図３および図６に示すように、ホルダー本体１２には、芳香剤などを収納する収納室１４を区画する円板状の側壁１６が、一体形成されている。図４に示すように、側壁１６には、通気孔としての直線状の長孔１７が、並列状に形成されている。
【００２１】
また、図１に示すように、ホルダー本体１２には、両端部１２Ａおよび１２Ｂ以外の部位に、周方向に沿う通気孔としての長孔１３が複数形成されている。図４に示すように、長孔１３は、略１１０度の角範囲に亘って形成されている。そして、側壁１６における長孔１７の幅Ｌ２，および図３に示すホルダー本体１２の軸方向における長孔１３の幅Ｌ１は、粒子形状でかつ収縮タイプの芳香剤（ビーズ）４８（図６および図１１参照）における揮散後の粒径（図６Ｂおよび図１１Ｂ参照）よりも短くなるように設定されている。
【００２２】
即ち、収縮タイプの芳香剤４８の粒径において、芳香剤４８が揮散すると、揮散後の粒径は揮散前の粒径（図６Ａおよび図１１Ａ参照）に比べて縮小する。この縮小の度合いは実験データなどに基づき算出できるので、上記長孔１３，１７の幅Ｌ１，Ｌ２を揮散後の粒径よりも短くなるように予め設定できる。
【００２３】
なお、幅Ｌ１，Ｌ２の長さは、同一となっている。また、芳香剤の材料としては、例えばエチレン酢酸ビニル共重合体（ＥＶＡ）などの合成樹脂，セルロース素材，シリカゲル，吸水樹脂などに消臭剤・香料を含浸させた物質が使用される。
【００２４】
図１に示すように、両端部１２Ａおよび１２Ｂには、弧状の切欠１２Ｃおよび１２Ｄが形成されている。切欠１２Ｃおよび１２Ｄは、支持部２０および３０が指に引っ掛かることよって支持部２０および３０をホルダー本体１２から容易に取外しできるようにしたものであり、ホルダー本体１２の軸心を通るよう径方向に沿って対称状に一対形成されている（図１では、切欠１２Ｃにおいて、１箇所のみを示す）。なお、切欠１２Ｃは、切欠１２Ｄよりも若干だけ大きくなっている。
【００２５】
図３に示すように、ホルダー本体１２は、両端部１２Ａおよび１２Ｂの支持部２０および３０に対応する部位（開放口１８Ａおよび１８Ｂ）付近の肉厚が、ホルダー本体１２の他の部位の肉厚に比べ、薄肉となっている。即ち、端部１２Ａ側の内径は、支持部２０の最大直径よりも若干だけ長くなっている。また、端部１２Ａの上記薄肉部分Ｒ１は、支持部２０における筒部２２の軸方向の長さＬ３と同一となっている。そのため、支持部２０はホルダー本体１２の端部１２Ａ側に挿入できると共に、支持部２０の側壁２１は端部１２Ａと面一となる（図３参照）。
【００２６】
一方、端部１２Ｂの薄肉部分Ｒ２の肉厚は、端部１２Ａの薄肉部分Ｒ１の肉厚よりも厚くなっている。即ち、端部１２Ｂ側の内径は、端部１２Ａ側の内径よりも短くなっている。そして、支持部３０は、その小径部３０Ｂがホルダー本体１２の端部１２Ｂ内に挿入される。また、支持部３０は、その大径部３０Ａの端面にホルダー本体１２の端部１２Ｂが当接することにより、位置決めされる。
【００２７】
なお、支持部３０の大径部３０Ａは、ホルダー本体１２の直径と同一となっている。また、本実施形態においては、端部１２Ｂの薄肉部分Ｒ２の肉厚が端部１２Ａの薄肉部分Ｒ１の肉厚よりも厚くなっているので、支持部３０を端部１２Ａに挿入することができず、一方支持部２０を端部１２Ｂの薄肉部分Ｒ２より内側へ挿入することができない。従って、本実施形態によれば、ホルダー本体１２の端部１２Ａおよび１２Ｂに対し、支持部２０および３０を常に適正な方向に挿入させることができる。
【００２８】
略透明な合成樹脂で成形された図１に示す支持部２０は有底円筒形状となっており、支持部２０の側壁２１には長孔２１Ａ（図７参照）が形成されている。図７に示すように、側壁２１の長孔２１Ａは、直線状でかつ並列状に形成されている。また、筒部２２の側壁２１側には、長孔２２Ａが周方向に沿って複数形成されている。なお、その他の長孔２１Ａおよび２２Ａの構成は、ホルダー本体１２の長孔１３および１７の構成と同一となっている。
【００２９】
そして、支持部２０の側壁２１は収納室１４を区画するものであり、図６および図１１に示すように、支持部２０をホルダー本体１２の端部１２Ａに取付けることによって収納室１４が側壁２１と側壁１６とで形成される。そのため、側壁２１および１６間には、芳香剤４８が収納される。なお、収納室１４の大きさは、図６および図１１に示すように、支持部２０をホルダー本体１２の端部１２Ａに取付ける方向を変えることにより、変動する。
【００３０】
側壁２１の中央には先細り状のピン２４が突設されており、このピン２４が図５に示すロールホルダータイプの支持具５０の側板５１に形成された係止孔５１Ａに挿入される。なお、図３に示すように、側壁２１および筒部２２の端部２２Ｂの直径は、筒部２２の直径よりも、若干だけ径大となっている。そのため、支持部２０をホルダー本体１２の薄肉部分Ｒ１に挿入した場合には、側壁２１および筒部２２の端部２２Ｂの外周面が薄肉部分Ｒ１の内面に当接する。
【００３１】
図１に示すように、合成樹脂で成形された支持部３０は円筒形状となっており、支持部３０の大径部３０Ａ側にはピン３４が複数本（図１に示す例では、３本）の移動手段であるバネ部３２を介して連結されている。即ち、バネ部３２は、大径部３０Ａの端部（基部）から連続するように一体成形されており、かつ支持部２０の軸心に向かって螺旋を描くように成形されている。
【００３２】
また、支持部３０の軸心に位置するピン３４は、支持部２０の軸心に対応するバネ部３２の先端に、連続するように一体成形されている。即ち、支持部３０は、バネ部３２およびピン３４を含め、一体成形されている。
【００３３】
ピン３４は、渦巻き状のバネ部３２を介し、ホルダー本体１２の軸方向に沿って移動する（図３の実線および想像線参照）。本実施形態によれば、図１２に示す従来例に比べ、支持具５０の側板５１に対する支持構成が簡易になると共に、安価となる。なお、小径部３０Ｂの外周面には断面弧字状の突部３１が形成されており、図３に示すように突部３１がホルダー本体１２の端部１２Ｂの内周面に形成された突部１２Ｅ（図１および図３参照）と嵌合する。そのため、支持部３０は、ホルダー本体１２の端部１２Ｂに確実に位置決めされる。
【００３４】
ホルダー本体１２の全長Ｌ４は、ＪＩＳ（日本工業規格）に定められた図５および図１０の想像線に示すトイレットロール（長尺状のトイレットペーパを巻いてロール状に成形したもの）４６の紙幅と同一となっている。また、ホルダー本体１２の直径は、トイレットロール４６の内径（中心孔４６Ａ）よりも若干だけ短くなっている。そのため、ホルダー本体１２即ちロールホルダー１０は、トイレットロール４６を挿通し、支持し得る。
【００３５】
ロールホルダー１０は、ホルダー本体１２の両端部１２Ａおよび１２Ｂに対し支持部２０および３０を着脱などすることにより、図５に示すいわゆるロールホルダータイプと，図１０に示すいわゆるワンタッチホルダータイプの支持具にそれぞれ対応し得る。
【００３６】
即ち、ロールホルダー１０は、ホルダー本体１２に支持部２０，３０をピン２４，３４が外側に向くように取付けたピン支持モード（図２，図３および図５に示す状態）と，支持部３０をホルダー本体１２から取外すると共に支持部２０をピン２４が内側に向くようにホルダー本体１２内に挿入させたアーム支持モード（図８，図９および図１０に示す状態）とにモード変更できる。
【００３７】
ここで、図５に示すように、ロールホルダータイプの支持具５０にはコ字状に折曲形成された一対の側板５１が設けられており、側板５１には係止孔５１Ａが形成されている。そして、図３に示すように、ピン支持モードにおける支持部２０，３０のピン２４，３４を側板５１の係止孔５１Ａ（図３の想像線参照）に挿入させることにより、ロールホルダー１０は支持具５０に支持される。
【００３８】
即ち、一対の側板５１間の距離Ｌ６はピン支持モードにおける支持部２０および３０間の距離Ｌ５よりも若干だけ長くなっており、かつピン２４および３４の先端部が係止孔５１Ａに挿入し得るように予め設定されている。なお、図５に示すロールホルダータイプの支持具５０は、図１２に示すロールホルダータイプの支持具５０と同様な構成となっている。
【００３９】
一方、図１０に示すように、ワンタッチホルダータイプの支持具５４には一対の側板５５が設けられており、各側板５５には凹部５５Ａがそれぞれ形成されている（図１０では、一方のみを図示する）。各側板５５の凹部５５Ａには略直方体形状のアーム５６が回転可能にそれぞれ取付けられており、そしてアーム５６は凹部５５Ａに対して没入または突出する。即ち、アーム５６は、側壁５５に対し９０度の角範囲に亘って回転する。なお、アーム５６は、図示しないつるまきコイルバネの付勢力により、凹部５５Ａから突出する初期状態（図１０に示す状態）に保持されている。
【００４０】
そして、図９に示すアーム支持モードにおけるホルダー本体１２の側壁１６，および支持部２０の側壁２１間の距離Ｌ７は、アーム５６が凹部５５Ａから内側へ向かって突出した初期状態（図９および図１０に示す状態）におけるアーム５６の先端が、側壁１６および２１から離間するように予め設定されている。なお、支持具５４の側板５５間の距離Ｌ８は、アーム支持モードにおけるホルダー本体１２の全長Ｌ４よりも若干だけ長くなっている。
【００４１】
そして、アーム支持モードにおけるロールホルダー１０（またはロールホルダー１０を挿通したトイレットロール４６）でアーム５６を回転させることにより、アーム５６をホルダー本体１２の端部１２Ａ（支持部２０の筒部２２）および１２Ｂ内に挿入させロールホルダー１０を支持し得るように予め設定されている。即ち、アーム５６の厚みは、支持部２０の筒部２２の内径，およびホルダー本体１２の端部１２Ｂの内径よりも、短くなっている。
【００４２】
次に、ロールホルダー１０をピン支持モードまたはアーム支持モードにする手順，および上記各モードにおけるロールホルダー１０を支持具５０または５４に装着する動作について説明する。まず、ロールホルダー１０をピン支持モードにするには、図１に示すように、支持部２０をホルダー本体１２の端部１２Ａに対応させると共に、支持部３０をホルダー本体１２の端部１２Ｂに対応させる。
【００４３】
この際、支持部２０，３０は、ピン２４，３４をホルダー本体１２に対して外側に向くように取付ける（図２，図３および図５参照）。また、芳香剤４８をホルダー本体１２の収納室１４内に収納する場合には、図６に示すように、芳香剤４８をホルダー本体１２の端部１２Ａから挿入する。芳香剤４８を収納室１４に収納することにより、芳香臭が長孔１３などから外部に発散する。
【００４４】
そして、図３に示すように、ピン支持モードにおけるロールホルダー１０をロールホルダータイプの支持具５０に装着するには、支持部２０，３０のピン２４，３４を側板５１の係止孔５１Ａに挿入させる。図３の想像線に示すように、ピン３４が係止孔５１Ａに嵌め込まれる際、ピン３４は渦巻き状のバネ部３２を介し、ホルダー本体１２の軸方向に沿って移動する。なお、図５に示すように、トイレットロール４６を支持具５０に装着するには、ロールホルダー１０をトイレットロール４６の中心孔４６Ａに挿通させる。
【００４５】
図６に示すように、収納部１４に収納された収縮タイプの芳香剤４８は、揮散すると、揮散後の粒径（図６Ｂ参照）が揮散前の粒径（図６Ａ参照）に比べて縮小する。そして、トイレットロール４６を使用する際にロールホルダー１０が回転すると、芳香剤４８も移動するので、新たに露出した芳香剤４８の外周面から芳香臭が発散し、消臭効果を適切に達成する。
【００４６】
引続き、ロールホルダー１０をアーム支持モードにするには、図７に示すように、支持部３０をホルダー本体１２から取外し、かつ支持部２０をピン２４が内側に向くようにホルダー本体１２内に挿入させる（図８，図９および図１０参照）。ここで、支持部２０をホルダー本体１２内に取付けるのは、支持部２０の側壁２１とホルダー本体１２の側壁１６とで収納室１４を形成させるためである。
【００４７】
なお、芳香剤４８をホルダー本体１２の収納室１４内に収納する手順は、上述したピン支持モードと同様であるので、説明は省略する。また、図５に示すように、トイレットロール４６を支持具５０に装着手順は、上述したピン支持モードと同様である。
【００４８】
図９に示すように、アーム支持モードにおけるロールホルダー１０をワンタッチホルダータイプの支持具５４に装着するには、ロールホルダー１０（またはロールホルダー１０を挿通したトイレットロール４６）でアーム５６を回転させることにより、アーム５６をホルダー本体１２の端部１２Ａ（すなわち、支持部２０の筒部２２内）および端部１２Ｂ内に挿入させる。その他の作用は、上述したピン支持モードと同様である。
【００４９】
本実施形態においては、ホルダー本体１２に対する支持部２０の取付方向，または支持部３０の取付けの有無により、ピン支持モードまたはアーム支持モードを任意に選択できる。即ち、本実施形態によれば、ロールホルダー１０をモード変更可能な構成としたので、異なる支持タイプであるロールホルダータイプの支持具５０（図５参照）およびワンタッチホルダータイプの支持具５４（図１０参照）に対応し得る。
【００５０】
従って、本実施形態によれば、ロールホルダー１０をワンタッチホルダータイプの支持具５４にも装着できるので、ロールホルダー１０の収納部１４内に芳香剤４８を収納することにより、別体の芳香器が不要となる。なお、ロールホルダー１０の収納部１４内に収納する芳香剤４８としては、収縮タイプ以外のたとえば変色タイプ（消色するタイプをも含む）であっても、同様に適用できる。
【００５１】
また、本実施形態においては、ホルダー本体１２および支持部２０を透明体としたので、芳香剤の色が変化（変色または消色）するのを視覚的に認識でき、芳香剤の取り替え時期を容易に判断できる。
【００５２】
さらに、本実施形態においては、トイレットロール４６を挿通したロールホルダー１０をワンタッチホルダータイプの支持具５４に装着する際、ロールホルダー１０の端部１２Ａおよび１２Ｂが支持具５４のアーム５６に引っ掛かる状態となるので、トイレットロール４６がアーム５６に対して円滑に回転する。
【００５３】
なお、本発明に係るロールホルダーは、ロールホルダーが挿入可能な中心孔を有するトイレットロールであれば、同様に使用し得る。また、ロールホルダーに収納する芳香材料としては、液体であっても良い。即ち、芳香製品は、例えば消臭剤・香料の液体を袋体などに収容し、そしてプラスチック透過膜およびシール封緘材でシールした製品などを含む。
【００５４】
本発明に係るロールホルダーは上記実施形態に限定されるものではなく、ホルダー本体１２の色または通気孔としての長孔１３などの構成，支持部２０または３０（ピン２４，３４，バネ部３２を含む）などの構成は任意に変更できる。例えば、本発明においては、ホルダー本体を多角形における角筒形状，または通気孔を丸孔などとして良い。
【００５５】
また、上記実施形態ではアーム支持モード（図７〜図１１参照）において支持部３０をホルダー本体１２に対して取外しているが、上記支持部３０および端部１２Ｂの構成を支持部２０と同様に支持部３０の取付方向を変更しホルダー本体１２の端部１２Ｂに挿入し得るように変更しても良い。この場合、常にロールホルダー１０はホルダー本体１２および一対の支持部２０，３０とが一体的に連結された構成となるので、支持部３０を別の場所に保管することがなく、支持部３０の紛失が確実に防止される。
【００５６】
さらに、本発明では、収納室を区画する一対の側壁をホルダー本体に一体的に形成すると共に、ホルダー本体の外周面に開閉可能な扉を設けるようにしても良い。そして、収納室への芳香剤の挿入は、上記扉を開放させることによって行う。
【００５７】
【発明の効果】
以上説明したように、本発明によれば、ロールホルダーをモード変更可能な構成としたので、異なる支持タイプであるロールホルダータイプの支持具およびワンタッチホルダータイプの支持具に対応し得る。
【図面の簡単な説明】
【図１】本発明に係る一実施形態のロールホルダーの分解斜視図である。
【図２】図１に示すホルダー本体に一対の支持部を取付けた状態の斜視図ある。
【図３】図２に示すロールホルダーの断面図である。
【図４】図３の４−４線の断面図である。
【図５】図２に示すロールホルダーをロールホルダータイプの支持具に装着前の斜視図である。
【図６】図３に示すロールホルダーの収納室内に芳香剤を収納した状態の断面図であり、図６Ａは芳香剤の揮発前の状態を示す図、図６Ｂは芳香剤の揮発後の状態を示す図である。
【図７】アーム支持モードにおけるロールホルダーの取付手順を示す斜視図である。
【図８】図７に示すロールホルダーの斜視図である。
【図９】図８に示すロールホルダーの断面図である。
【図１０】図８に示すロールホルダーをワンタッチホルダータイプの支持具に装着前の斜視図である。
【図１１】図９に示すロールホルダー内に芳香剤を収納した状態の断面図であり、図１１Ａは芳香剤の揮発前の状態を示す図、図１１Ｂは芳香剤の揮発後の状態を示す図である。
【図１２】従来例に係るロールホルダーの一部を破断した断面図である。
【符号の説明】
１０  ロールホルダー
１２  ホルダー本体
１３  長孔（通気孔）
１４  収納室
１８Ａ      開放口
１８Ｂ      開放口
２０  支持部
２４  ピン
３０  支持部
３２  バネ部（移動手段）
３４  ピン
４６  トイレットロール
４８  芳香剤
５０  支持具
５１Ａ      係止孔
５４  支持具
５６  アーム
【図１】
0003868771.tif 000002
【図２】
0003868771.tif 000003
【図３】
0003868771.tif 000004
【図４】
0003868771.tif 000005
【図５】
0003868771.tif 000006
【図６】
0003868771.tif 000007
【図７】
0003868771.tif 000008
【図８】
0003868771.tif 000009
【図９】
0003868771.tif 000010
【図１０】
0003868771.tif 000011
【図１１】
0003868771.tif 000012
【図１２】
0003868771.tif 000013